(57)【要約】【課題】情報記録再生装置の誤動作等によりアクセスする情報記録層とは別の情報記録層にアクセスしてしまったような場合でも、記録・再生制御方式等の設定がその情報記録層の方式等とミスマッチしないようにする。【解決手段】アクセスした情報記録層Ｌ１を特定する層番号取得部２２２と、層番号取得部２２２によって特定された情報記録層Ｌ１の種類を判別する層種類判別部２２３とを備えている。【選択図】図１
2010205312.tif 000002
【特許請求の範囲】
【請求項１】
２種類以上の情報記録層を複数備えた情報記録媒体に対して情報の記録又は再生を行う情報記録再生装置であって、
前記複数の情報記録層のうち、アクセスした情報記録層を特定するアクセス層特定手段と、
前記アクセス層特定手段によって特定された、前記アクセスした情報記録層の種類を判別するアクセス層種類判別手段とを備えていることを特徴とする情報記録再生装置。
【請求項２】
前記アクセスした情報記録層に含まれる、その情報記録層と他の情報記録層とを識別するための層番号情報を取得する層番号取得手段と、
前記情報記録層の種類を示す層種類情報を取得する層種類情報取得手段とを備えており、
前記アクセス層特定手段は、前記層番号取得手段が取得した層番号情報を参照して、前記アクセスした情報記録層を特定し、
前記アクセス層種類判別手段は、前記層種類情報取得手段が取得した層種類情報を参照して、前記アクセスした情報記録層の種類を判別することを特徴とする請求項１に記載の情報記録再生装置。
【請求項３】
前記層番号情報は、前記情報記録層のアドレス情報に含まれていることを特徴とする請求項２に記載の情報記録再生装置。
【請求項４】
前記層種類情報は、前記情報記録媒体の少なくとも１つの情報記録層の管理情報領域に記録されていることを特徴とする請求項２又は３に記載の情報記録再生装置。
【請求項５】
前記管理情報領域は、トラッキング制御が不要な領域であることを特徴とする請求項４に記載の情報記録再生装置。
【請求項６】
前記管理情報領域は、フォーカス制御のみでアクセス可能な領域であることを特徴とする請求項４に記載の情報記録再生装置。
【請求項７】
前記層種類情報は、前記情報記録層のアドレス情報に含まれていることを特徴とする請求項２又は３に記載の情報記録再生装置。
【請求項８】
前記アドレス情報は、前記情報記録層のアドレス情報記録領域に記録されており、
前記情報記録層の種類に応じて、前記アドレス情報記録領域における前記層番号情報の記録位置が異なっており、
前記層番号取得手段は、前記アクセスした情報記録層の種類に応じた前記層番号情報の記録位置から前記層番号情報を取得することを特徴とする請求項３に記載の情報記録再生装置。
【請求項９】
前記情報記録層の種類を示す層種類情報を取得する層種類情報取得手段を備えており、
前記層番号取得手段は、前記層種類情報取得手段が取得した層種類情報を参照して、前記層番号情報の記録位置から前記層番号情報を取得することを特徴とする請求項８に記載の情報記録再生装置。
【請求項１０】
前記アクセス層種類判別手段によって判別された前記アクセスした情報記録層の種類に従って、その情報記録層に記録された情報を再生するための再生条件を設定する再生条件設定手段を備えており、
前記再生条件設定手段によって設定された再生条件に従って前記アクセスした情報記録層に記録された情報を再生することを特徴とする請求項１から９までのいずれか１項に記載の情報記録再生装置。
【請求項１１】
前記アクセス層種類判別手段によって判別された前記アクセスした情報記録層の種類に従って、その情報記録層に情報を記録するための記録条件を設定する記録条件設定手段を備えており、
前記記録条件設定手段によって設定された記録条件に従って前記アクセスした情報記録層に情報を記録することを特徴とする請求項１から１０までのいずれか１項に記載の情報記録再生装置。
【請求項１２】
請求項１から１１までのいずれか１項に記載の情報記録再生装置における各手段としてコンピュータを動作させるための情報再生プログラム。
【請求項１３】
請求項１２に記載の情報再生プログラムを記録したコンピュータ読み取り可能な記録媒体。
【請求項１４】
２種類以上の情報記録層を複数備えた情報記録媒体に対して情報の記録又は再生を行う情報記録再生装置の制御方法であって、
前記複数の情報記録層のうち、アクセスした情報記録層を特定するアクセス層特定ステップと、
前記アクセス層特定ステップで特定された、前記アクセスした情報記録層の種類を判別するアクセス層種類判別ステップとを含んでいることを特徴とする情報記録再生装置の制御方法。
【請求項１５】
２種類以上の情報記録層を複数備えた情報記録媒体であって、
前記情報記録層に、その情報記録層と他の情報記録層とを識別するための層番号情報が含まれており、
少なくとも１つの情報記録層の管理情報領域に、前記情報記録層の種類を示す層種類情報が記録されていることを特徴とする情報記録媒体。
【請求項１６】
前記層番号情報は、前記情報記録層のアドレス情報に含まれていることを特徴とする請求項１５に記載の情報記録媒体。
【請求項１７】
前記層種類情報は、前記情報記録層のアドレス情報に含まれていることを特徴とする請求項１５又は１６に記載の情報記録媒体。
【請求項１８】
前記情報記録層の種類に応じて、前記アドレス情報が記録されているアドレス情報記録領域における前記層番号情報の記録位置が異なっていることを特徴とする請求項１６又は１７に記載の情報記録媒体。
【発明の詳細な説明】
【技術分野】
【０００１】
本発明は、記録特性の異なる情報記録層を複数備える多層情報記録媒体に対して情報の記録及び／又は再生を行う情報記録再生装置などに関するものである。
【背景技術】
【０００２】
近年、画像等の膨大な情報処理のために、情報記録媒体の記録容量の向上が求められている。
【０００３】
情報記録媒体の記録容量を向上させる一方法としては、情報記録媒体の情報記録層の多層化が考えられる。例えば、現在のところ、ＤＶＤ（Digital Versatile Disc）やＢＤ（Blu-ray Disc；登録商標）等において情報記録層を２層まで有する多層情報記録媒体が規格化され、販売されている。
【０００４】
ところで、２層以上の情報記録層を有する多層情報記録媒体においては、再生光入射側から遠い方の情報記録層に記録された情報を再生するためには、再生光入射側に近い方の情報記録層において再生光を透過させる必要があるので、再生光入射側に近い方の情報記録層の反射率を低く設定する必要があるという問題点がある。また、多層化に伴って再生光入射側から遠い方の情報記録層からの戻り光の強度が小さくなってしまうという問題点もある。
【０００５】
このような問題点の存在により、特に、情報の書き換え可能な情報記録層の多層化は、困難な状況であり、現在のところ２層が限界となっている。
【０００６】
ところで、近年、情報の書き換え可能な情報記録層以外に、様々なコンテンツが記録されている情報記録層で、かつ再生のみ可能な再生専用の情報記録層又は追記録可能な情報記録層を追加して記録容量を向上させた光情報記録媒体（以下、「ハイブリッド光情報記録媒体」ということがある）が求められてきている。
【０００７】
以下、前記書き換え可能な情報記録層をＲＥ（RE-writable）層と呼び、前記再生専用の情報記録層をＲＯＭ（Read Only Memory）層と呼び、前記追記録可能な情報記録層をＲ（Recordable）層と呼ぶ。
【０００８】
以上のような多層光情報記録媒体に関する技術として特許文献１に開示された光ディスク及び光ディスク装置がある。
【０００９】
この特許文献１に開示された光ディスクは、光ディスク規格の異なる複数の情報記録層を一つのディスクに多層化したものとなっており、最も記録密度が高い情報記録層の管理領域に別の情報記録層の種類を表す情報が記録されている。
【００１０】
また、光ディスク装置は、最も記録密度が高い情報記録層の管理領域にアクセスして別の情報記録層の種類を表す情報を読出して保持し、アクセスする情報記録層を決定し、前記別の情報記録層の種類を表す情報に基づいてアクセスする情報記録層に適したパワー設定などの記録・再生制御方式等を設定している。
【先行技術文献】
【特許文献】
【００１１】
【特許文献１】特開２００６−２６０６１０号公報（２００６年９月２８日公開）
【発明の概要】
【発明が解決しようとする課題】
【００１２】
しかしながら、前記従来の特許文献１に開示された光ディスク及び光ディスク装置では、光ディスク装置の誤動作等によりアクセスする情報記録層とは別の情報記録層にアクセスしてしまった場合、その情報記録層の種類を判別することができなくなるので、記録・再生制御方式等の設定がその情報記録層の方式等とミスマッチしてしまう可能性があるという問題点がある。
【００１３】
すなわち、従来の情報記録再生装置では、目的の情報記録層にアクセスする前にその情報記録層の位置や種類を認識する構成を採用しており、アクセス後に情報記録層の位置や種類を認識できないという問題点がある。
【００１４】
本発明は、前記従来の問題点に鑑みなされたものであって、その目的は、情報記録再生装置の誤動作等によりアクセスする情報記録層とは別の情報記録層にアクセスしてしまったような場合でも、記録・再生制御方式等の設定がその情報記録層の方式等とミスマッチしないようにすることができる情報記録再生装置などを提供することにある。
【課題を解決するための手段】
【００１５】
本発明の情報記録再生装置は、前記課題を解決するために、２種類以上の情報記録層を複数備えた情報記録媒体に対して情報の記録又は再生を行う情報記録再生装置であって、前記複数の情報記録層のうち、アクセスした情報記録層を特定するアクセス層特定手段と、前記アクセス層特定手段によって特定された、前記アクセスした情報記録層の種類を判別するアクセス層種類判別手段とを備えていることを特徴とする。
【００１６】
また、本発明の情報記録再生装置は、前記課題を解決するために、２種類以上の情報記録層を複数備えた情報記録媒体に対して情報の記録又は再生を行う情報記録再生装置の制御方法であって、前記複数の情報記録層のうち、アクセスした情報記録層を特定するアクセス層特定ステップと、前記アクセス層特定ステップで特定された、前記アクセスした情報記録層の種類を判別するアクセス層種類判別ステップとを含んでいることを特徴とする。
【００１７】
前記構成又は方法によれば、アクセス層特定手段は、又はアクセス層特定ステップでは、前記複数の情報記録層のうち、アクセスした情報記録層を特定するようになっている。
【００１８】
それゆえ、複数の情報記録層の中から、アクセスした情報記録層を特定することができる。
【００１９】
なお、「アクセス」とは、情報記録媒体に記録された情報を再生すること、又は、情報記録媒体に情報を記録することである。
【００２０】
また、「アクセスした」とは、情報記録層にアクセスする前でなく、情報記録層にアクセスした後であることを意味する。
【００２１】
また、前記構成又は方法によれば、アクセス層種類判別手段は、又はアクセス層種類判別ステップでは、アクセス層特定手段によって又はアクセス層種類判別ステップ特定された、アクセスした情報記録層の種類を判別するようになっている。
【００２２】
よって、アクセスした情報記録層の種類を判別することができる。
【００２３】
「情報記録層の種類」としては、書き換え可能な情報記録層、再生専用の情報記録層、追記録可能な情報記録層などの記録特性の種類や、ＤＶＤやＢＤなどの規格の種類などが例示できる。
【００２４】
よって、情報記録再生装置の誤動作等によりアクセスする情報記録層とは別の情報記録層にアクセスしてしまったような場合でも、情報記録再生装置は、そのアクセスした情報記録層の種類を判別することができる。よって、判別された情報記録層の種類に応じて記録・再生制御方式等の設定を適切に行うことにより、記録・再生制御方式等の設定とアクセスした情報記録層の方式等とをミスマッチしないようにすることができる。
【００２５】
以上より、情報記録再生装置の誤動作等によりアクセスする情報記録層とは別の情報記録層にアクセスしてしまったような場合でも、記録・再生制御方式等の設定がその情報記録層の方式等とミスマッチしないようにすることができる。
【００２６】
本発明の情報記録再生装置は、前記構成に加えて、前記アクセスした情報記録層に含まれる、その情報記録層と他の情報記録層とを識別するための層番号情報を取得する層番号取得手段と、前記情報記録層の種類を示す層種類情報を取得する層種類情報取得手段とを備えており、前記アクセス層特定手段は、前記層番号取得手段が取得した層番号情報を参照して、前記アクセスした情報記録層を特定し、前記アクセス層種類判別手段は、前記層種類情報取得手段が取得した層種類情報を参照して、前記アクセスした情報記録層の種類を判別することが好ましい。
【００２７】
前記構成によれば、層番号取得手段は、アクセスした情報記録層に含まれる、層番号情報を取得するようになっている。
【００２８】
また、前記構成によれば、アクセス層特定手段は、層番号取得手段が取得した層番号情報を参照して、アクセスした情報記録層を特定するようになっている。
【００２９】
よって、情報記録媒体の各情報記録層に異なる層番号情報を付与することで、簡単に各情報記録媒体を識別することができる。
【００３０】
また、前記構成によれば、層種類情報取得手段は、前記情報記録層の種類を示す層種類情報を取得するようになっている。
【００３１】
さらに、アクセス層種類判別手段は、層種類情報取得手段が取得した層種類情報を参照して、前記アクセスした情報記録層の種類を判別するようになっている。
【００３２】
よって、アクセスした情報記録層の種類を判別することができる。
【００３３】
ここで、「層番号情報」は、アクセスした情報記録層と他の情報記録層とを識別できれば、どのような情報であっても良い。
【００３４】
「層番号情報」の例としては、情報記録媒体の基板側に最も近い情報記録層から最も遠い情報記録層までの各情報記録層に番号を付与したときのその番号の２進数表示などが例示できる。
【００３５】
また、情報記録媒体の再生光入射側に最も近い情報記録層から最も遠い情報記録層までの各情報記録層に番号を付与したときのその番号の２進数表示などが例示できる。
【００３６】
なお、各情報記録層に付与される番号は、１ずつ増す又は減るように付しても良いし、ランダムに番号を付与しても良い。
【００３７】
なお、「層種類情報」の例としては、書き換え可能な情報記録層、再生専用の情報記録層、前記追記録可能な情報記録層などの記録特性の種類を示すものや、ＤＶＤやＢＤなどのように規格の種類を示すものなどが例示できる。
【００３８】
本発明の情報記録再生装置は、前記構成に加えて、前記層番号情報が、前記情報記録層のアドレス情報に含まれていることが好ましい。
【００３９】
これにより、情報記録媒体上の位置を特定するためのアドレス情報に層番号情報を含ませることによって、情報記録媒体上のアクセス可能な、媒体面方向のどの半径位置でも層番号情報を取得することができる。
【００４０】
本発明の情報記録再生装置は、前記構成に加えて、前記層種類情報は、前記情報記録媒体の少なくとも１つの情報記録層の管理情報領域に記録されていることが好ましい。
【００４１】
これにより、簡単にアクセス可能な管理情報領域に層種類情報を記録することで、情報記録媒体の層種類情報を管理情報領域から簡単かつ、一括して取得することができる。
【００４２】
また、本発明の情報記録再生装置は、前記構成に加えて、前記管理情報領域は、トラッキング制御が不要な領域であっても良いし、フォーカス制御のみでアクセス可能な領域であっても良い。
【００４３】
前記構成によれば、各情報記録層を全て再生することなく、トラッキング制御が不要又はフォーカス制御のみでアクセス可能な領域のように、簡単にアクセス可能な領域（管理情報領域）に層種類情報を記録することで、情報記録媒体の層種類情報を管理情報領域から簡単かつ、一括して取得することができる。
【００４４】
本発明の情報記録再生装置は、前記構成に加えて、前記層種類情報は、前記情報記録層のアドレス情報に含まれていることが好ましい。
【００４５】
前記構成によれば、アクセスした情報記録層から、直接、層種類情報を得ることができるので、上述した管理情報領域の再生を行うことなくいきなりアクセスした場合でも、情報記録層の層の種類を判別することができる。
【００４６】
なお、例えば、層種類情報を管理情報領域に記録する場合には、情報記録層に対応付けられた記録エリアを設けて、その記録エリアに対応する情報記録層の層種類情報を記録するようにすれば良い。
【００４７】
ところで、２種類以上の情報記録媒体においては、コスト低減のため、旧規格の情報記録媒体と新規格の情報記録媒体同士でも、同一の記録特性を有する情報記録層を作製するためのスタンパは、共通に使用できることが好ましい。言い換えれば、異なる規格の情報記録媒体のそれぞれに同一の記録特性を有する情報記録層がある場合、これらの情報記録層を同一のスタンパで製造できれば、全体的なコスト低減が可能となる。
【００４８】
例えば、ＲＯＭ層とＲＥ層との２層コンビネーションディスクでは、ＲＯＭ層用のスタンパとＲＥ層用のスタンパとが必要であるが、ＲＯＭ層のみのディスク又はＲＥ層のみのディスクで用いたＲＯＭ層及びＲＥ層用スタンパを使用できれば、コストが低減できる。
【００４９】
しかしながら、単層ＲＯＭ層及び単層ＲＥ層用スタンパで作成した場合、層番号情報は、通常、単層であることを示す「０」となってしまうので、アドレス情報を再生するだけでは、これらの層のうち、どちらの層にフォーカスされているか情報記録再生装置が判断することができないという問題点がある。
【００５０】
そこで、例えば、ＲＯＭ層及びＲＥ層用スタンパで作成した前記２層コンビネーションディスクで、いずれか一方の番号を「１」に変更することが考えられるが、今度は、例えば、ＲＥ層を２層有する２層コンビネーションディスクのＲＥ層なのか、ＲＯＭ層とＲＥ層との２層コンビネーションディスクのＲＥ層なのかを区別することができなくなるという問題点がある。
【００５１】
このような問題点を解決するために、本発明の情報記録再生装置は、前記構成に加えて、前記アドレス情報は、前記情報記録層のアドレス情報記録領域に記録されており、前記情報記録層の種類に応じて、前記アドレス情報記録領域における前記層番号情報の記録位置が異なっており、前記層番号取得手段は、前記アクセスした情報記録層の種類に応じた前記層番号情報の記録位置から前記層番号情報を取得しても良い。
【００５２】
また、本発明の情報記録再生装置は、前記構成に加えて、前記情報記録層の種類を示す層種類情報を取得する層種類情報取得手段を備えており、前記層番号取得手段は、前記層種類情報取得手段が取得した層種類情報を参照して、前記層番号情報の記録位置から前記層番号情報を取得することが好ましい。
【００５３】
前記構成によれば、情報記録層の種類に応じて、アドレス情報記録領域における層番号情報の記録位置が異なっているため、例えば、規格の異なる情報記録媒体のそれぞれに含まれる同一の層番号情報を有する情報記録層同士を識別することができる。
【００５４】
すなわち、例えば、ＲＥ層を２層有する２層コンビネーションディスクのＲＥ層なのか、ＲＯＭ層とＲＥ層との２層コンビネーションディスクのＲＥ層なのかを区別することができる。
【００５５】
本発明の情報記録再生装置は、前記構成に加えて、前記アクセス層種類判別手段によって判別された前記アクセスした情報記録層の種類に従って、その情報記録層に記録された情報を再生するための再生条件を設定する再生条件設定手段を備えており、前記再生条件設定手段によって設定された再生条件に従って前記アクセスした情報記録層に記録された情報を再生することが好ましい。
【００５６】
前記構成によれば、再生条件設定手段は、前記アクセス層種類判別手段によって判別された前記アクセスした情報記録層の種類に従って、その情報記録層に記録された情報を再生するための再生条件を設定し、本発明の情報記録再生装置は、設定された再生条件に従って前記アクセスした情報記録層に記録された情報を再生するようになっている。
【００５７】
よって、情報記録再生装置の誤動作などにより、目的の情報記録層とは異なる情報記録層にアクセスした場合でも、その情報記録層の再生条件にマッチした再生条件を設定することができる。
【００５８】
「再生条件」の例としては、再生制御時の各種設定条件（フォーカス制御、トラッキング制御、再生パワー等の設定条件等）が例示できる。
【００５９】
本発明の情報記録再生装置は、前記構成に加えて、前記アクセス層種類判別手段によって判別された前記アクセスした情報記録層の種類に従って、その情報記録層に情報を記録するための記録条件を設定する記録条件設定手段を備えており、前記記録条件設定手段によって設定された記録条件に従って前記アクセスした情報記録層に情報を記録することが好ましい。
【００６０】
前記構成によれば、記録条件設定手段は、前記アクセス層種類判別手段によって判別された前記アクセスした情報記録層の種類に従って、その情報記録層に情報を記録するための記録条件を設定し、情報記録再生装置は、設定された記録条件に従って前記アクセスした情報記録層に情報を記録するようになっている。
【００６１】
よって、情報記録再生装置の誤動作などにより、目的の情報記録層とは異なる情報記録層にアクセスした場合でも、その情報記録層の記録条件にマッチした記録条件を設定することができる。
【００６２】
「記録条件」の例としては、記録制御時の各種設定条件（フォーカス制御、トラッキング制御、記録パワー等の設定条件等）が例示できる。
【００６３】
また、本発明の情報記録媒体は、前記課題を解決するために、２種類以上の情報記録層を複数備えた情報記録媒体であって、前記情報記録層に、その情報記録層と他の情報記録層とを識別するための層番号情報が含まれており、少なくとも１つの情報記録層の管理情報領域に、前記情報記録層の種類を示す層種類情報が記録されていることを特徴とする。
【００６４】
前記構成によれば、アクセスした情報記録層から層番号情報を取得すること、及び少なくとも１つの情報記録層の管理情報領域から層種類情報を取得することが可能な情報記録媒体を提供することができる。
【００６５】
また、本発明の情報記録媒体は、前記構成に加えて、前記層番号情報が、前記情報記録層のアドレス情報に含まれていることが好ましい。
【００６６】
これにより、情報記録媒体上の位置を特定するためのアドレス情報に層番号情報を含ませることによって、情報記録媒体上のアクセス可能な、媒体面方向のどの半径位置でも層番号を取得することが可能な情報記録媒体を提供することができる。
【００６７】
また、本発明の情報記録媒体は、前記構成に加えて、前記層種類情報が、前記情報記録層のアドレス情報に含まれていることが好ましい。
【００６８】
これにより、情報記録媒体上の位置を特定するためのアドレス情報に層種類情報を含ませることによって、情報記録媒体上のアクセス可能な、媒体面方向のどの半径位置でも層種類情報を取得することができる。
【００６９】
以上より、アクセスした情報記録層から、直接、層種類情報を得ることができるので、上述した管理情報領域の再生を行うことなくいきなりアクセスした場合でも、情報記録層の層の種類を判別すること可能な情報記録媒体を提供することができる。
【００７０】
なお、前記情報記録再生装置及びその制御方法における各手段、各機能、各処理、並びに、各ステップ及び各工程のそれぞれは、コンピュータによって実現してもよく、この場合には、コンピュータを各手段として動作させ、コンピュータに各機能を実現させ、若しくはコンピュータに各処理、各ステップ又は各工程を実行させることにより前記情報記録再生装置及びその制御方法を、コンピュータにて実現させる前記情報再生プログラム及びそれを記録したコンピュータ読み取り可能な記録媒体も、本発明の範疇に入る。
【発明の効果】
【００７１】
本発明の情報記録再生装置は、以上のように、前記複数の情報記録層のうち、アクセスした情報記録層を特定するアクセス層特定手段と、前記アクセス層特定手段によって特定された、前記アクセスした情報記録層の種類を判別するアクセス層種類判別手段とを備えているものである。
【００７２】
また、本発明の情報記録再生装置は、以上のように、前記複数の情報記録層のうち、アクセスした情報記録層を特定するアクセス層特定ステップと、前記アクセス層特定ステップで特定された、前記アクセスした情報記録層の種類を判別するアクセス層種類判別ステップとを含んでいる方法である。
【００７３】
また、本発明の情報記録媒体は、以上のように、情報記録層に、その情報記録層と他の情報記録層とを識別するための層番号情報が含まれており、少なくとも１つの情報記録層の管理情報領域に、情報記録層の種類を示す層種類情報が記録されているものである。
【００７４】
それゆえ、情報記録再生装置の誤動作等によりアクセスする情報記録層とは別の情報記録層にアクセスしてしまったような場合でも、記録・再生制御方式等の設定がその情報記録層の方式等とミスマッチしないようにすることができるという効果を奏する。
【図面の簡単な説明】
【００７５】
【図１】本発明の一実施形態である情報記録再生装置の主要部の構成を示すブロックである。
【図２】前記情報記録再生装置の全体の概要構成を示すブロック図である。
【図３】本発明の一実施形態である情報記録媒体の構造を示す模式図であり、（ａ）は、情報記録媒体の再生光入射側から見たときの様子を示す模式図であり、（ｂ）は、情報記録媒体における断面の一部の様子を示す模式図である。
【図４】（ａ）は、層種類情報の一例を示す図であり、（ｂ）は、記録層−記録エリア対応テーブルの一例を示す図であり、（ｃ）は、アドレス情報記録領域の４つの例を示す図であり、（ｄ）は、層番号−記録層対応テーブルの一例を示す図である。
【図５】前記情報記録再生装置の動作（層種類情報取得ステップ）の流れを示すフローチャートである。
【図６】前記情報記録再生装置の動作（層番号取得ステップ）の流れを示すフローチャートである。
【図７】前記情報記録再生装置の動作（記録・再生条件設定ステップ）の流れを示すフローチャートである。
【図８】（ａ）は、アドレス情報記録領域の利用形態の他の一例を示す図であり、（ｂ）は、アドレス情報記録領域の利用形態のさらに他の一例を示す図である。
【図９】（ａ）は、アドレス情報記録領域の利用形態のさらに他の一例を示す図であり、（ｂ）は、アドレス情報記録領域の利用形態のさらに他の一例を示す図である。
【発明を実施するための形態】
【００７６】
以下、本発明の一実施の形態について、図面を参照しながら説明する。説明の便宜上、図面に示した部材と同一の機能を有する部材については、同一の符号を付し、その説明を省略する。
【００７７】
〔１．情報記録再生装置の構成〕
まず、図１及び図２に基づき、本発明の一実施形態である光ディスク装置（情報記録再生装置）１の構成について説明する。
【００７８】
図１は、本発明の一実施形態である光ディスク装置１の主要部の構成を示すブロックである。
【００７９】
また、図２は、光ディスク装置１の全体の概要構成を示すブロック図である。
【００８０】
まず、図２に基づき、光ディスク装置１の全体の概要構成について説明する。
【００８１】
図２に示すように、光ディスク装置１は、主として格納部３、ディスク装填認識部６、操作部７、記録再生回路群１０、光ヘッド１１、光ピックアップ１２及び制御部２０を備えている。
【００８２】
また、記録再生回路群１０は、主としてピックアップ駆動回路１３、レーザ駆動回路１４及び再生回路１５を備えている。
【００８３】
また、光ディスク装置１は、光ディスク（情報記録媒体）１００を含むＤＶＤやＢＤなどの光情報記録媒体（情報記録媒体）に対して情報の記録及び再生を行う装置である。
【００８４】
図２に示すように、光ディスク装置１では、回転する光ディスク１００の図示しないトラックへ、制御部２０がピックアップ駆動回路１３を介して光ピックアップ１２を移動させるようになっている。
【００８５】
光ピックアップ１２には、光ヘッド１１が設けられている。そして、制御部２０がレーザ駆動回路１４を介して記録条件を設定し、光ヘッド１１から記録用のレーザビームを光ディスク１００の記録部位に照射することによって、光ディスク１００のトラックに情報が記録されるようになっている。
【００８６】
また、光ディスク装置１は、制御部２０がピックアップ駆動回路１３を介して光ピックアップ１２を光ディスク１００の記録部位へ移動させる。そして、制御部２０がレーザ駆動回路１４を介して再生条件を設定し、光ヘッド１１から再生用のレーザビームを光ディスク１００に照射するようになっている。
【００８７】
光ヘッド１１が検出した反射光は、再生回路１５にて再生信号に変換され、制御部２０に入力される。これにより、光ディスク装置１は、光ディスク１００のトラック（複数のセクタからなる）に記録された情報を再生するようになっている。
【００８８】
また、光ディスク装置１には、ディスク装填認識部６が設けられている。ディスク装填認識部６は、光ディスク１００の装填を検出するためのものであり、例えば、各種センサが例示できるが、光ディスク１００の装填を検出できるものであれば、どのようなセンサを用いても良い。
【００８９】
また、ディスク装填認識部６は、検出した結果を検出信号として制御部２０へ出力するようになっている。
【００９０】
操作部７は、ユーザが、光ディスク装置１に各種の操作命令を入力するためのものであり、例えば、操作ボタンとそのインターフェースなどが例示できる。
【００９１】
次に、図１に基づき、光ディスク装置１の主要部（制御部２０など）の構成について説明する。
【００９２】
まず、図１に示すように、格納部３は、記録層−記録エリア対応テーブル記録部３１、層番号−記録層対応テーブル記録部３２、層種類判別結果記録部３３及び記録・再生制御方式設定情報（記録条件・再生条件）記録部３４などの制御部２０による情報の演算・加工に必要なデータを常時、若しくは一時的に記録するものである。また、格納部３は、制御部２０を動作させるためのプログラム（不図示）なども記録される。
【００９３】
記録層−記録エリア対応テーブル記録部３１は、以下で説明する光ディスク１００の管理情報領域１０１の記録エリアＡ１〜Ａ８・・・と、光ディスク１００の各情報記録層との対応関係を示すテーブル情報があらかじめ記録されている。
【００９４】
層番号−記録層対応テーブル記録部３２は、光ディスク１００の各情報記録層のアドレス情報記録領域１０７に含まれる、その情報記録層と他の情報記録層とを識別するための層番号（層番号情報）と、光ディスク１００の各情報記録層との対応関係を示すテーブル情報があらかじめ記録されている。
【００９５】
層種類判別結果記録部３３は、層種類判別部２２３が判別した、光ディスク１００の各情報記録層のうち、アクセスした情報記録層の種類の判別結果を記録するものである。
【００９６】
なお、「アクセス」とは、光ディスク１００に記録された情報を再生すること、又は、光ディスク１００に情報を記録することである。
【００９７】
また、「アクセスした」とは、情報記録層にアクセスする前でなく、情報記録層にアクセスした後であることを意味する。
【００９８】
記録・再生制御方式設定情報記録部３４は、各情報記録層の規格の種類や、記録特性の種類に応じて設定される記録・再生制御方式設定情報（記録条件・再生条件）があらかじめ記録されている。
【００９９】
次に、図１に示すように、制御部２０は、ディスク管理部２１、再生制御部２２、記録制御部（記録条件設定手段）２３及び記録再生回路群制御部２４を備えた構成である。
【０１００】
ディスク管理部２１は、ディスク装填認識部６から光ディスク１００が装填されたことを示す検出信号を受信したり、光ディスク１００から取得した識別情報から光ディスク１００の構造を特定したりして、再生制御部２２や記録制御部２３などを動作の制御などを行うものである。
【０１０１】
再生制御部２２は、層種類情報取得部（層種類情報取得手段）２２１、層番号取得部（層番号取得手段，アクセス層特定手段）２２２、層種類判別部（アクセス層種類判別手段）２２３及び再生制御方式設定部（再生条件設定手段）２２４などを動作させて、主として光ディスク１００に記録されている情報を再生する制御を行うものである。
【０１０２】
なお、再生データ保持部２２５は、層種類情報取得部２２１が取得した層種類情報及び層番号取得部２２２が取得した層番号（層番号情報）の送信を受けて一時記録し、これらの情報を層種類判別部２２３に送信したりして各種データのやりとりを行うものである。
【０１０３】
層種類情報取得部２２１は、光ディスク１００の管理情報領域１０１に含まれる記録エリアＡ１〜Ａ８・・・のそれぞれに記録されている情報記録層の種類を示す層種類情報を取得する（読み出す）ものである。
【０１０４】
なお、層種類情報取得部２２１が取得した層種類情報は、ディスク管理部２１が光ディスク１００の識別情報と対応付けて格納部３に常時記録させても良い（不図示）。
【０１０５】
このとき、ディスク管理部２１は、再度光ディスク１００が装填されると、光ディスク１００の識別情報に対応する層種類情報を格納部３から取得し、層種類情報取得部２２１に送信するように構成することが好ましい。
【０１０６】
これにより、同じ光ディスク１００について層種類情報取得部２２１が、繰り返し層種類情報を取得する必要がないので、管理情報領域１０１を読まずにいきなり光ディスク１００の記録情報層にアクセスした場合でも、アクセスした情報記録層の種類を確実に判別することができる。
【０１０７】
なお、「層種類情報」の例としては、書き換え可能な情報記録層、再生専用の情報記録層、前記追記録可能な情報記録層などの記録特性の種類を示すものや、ＤＶＤやＢＤなどのように規格の種類を示すものなどが例示できる。
【０１０８】
層番号取得部２２２は、光ディスク１００の各情報記録層のうち、アクセスした情報記録層のアドレス情報に含まれる、その情報記録層と他の情報記録層とを識別するための層番号（層番号情報）を取得する（読み出す）ものである。
【０１０９】
これにより、情報記録媒体上の位置を特定するためのアドレス情報に層番号情報を含ませることによって、情報記録媒体上のアクセス可能な、媒体面方向のどの半径位置でも層番号情報を取得することができる。
【０１１０】
また、層番号取得部２２２は、光ディスク１００のアドレス情報記録領域１０７が、情報記録層の種類に応じて、層番号の記録位置が異なっている場合に、アクセスした情報記録層の種類に応じた層番号の記録位置から層番号を取得しても良い。
【０１１１】
また、層番号取得部２２２は、層種類情報取得部２２１が取得した層種類情報を参照することで特定された層番号の記録位置から、その層番号を取得しても良い。
【０１１２】
これにより、光ディスク１００の情報記録層の種類に応じて、アドレス情報記録領域１０７における層番号の記録位置が異なっているため、例えば、規格の異なる情報記録媒体のそれぞれに含まれる同一の層番号を有する情報記録層同士を識別することができる。
【０１１３】
すなわち、例えば、ＲＥ層を２層有する２層ディスクのＲＥ層なのか、ＲＯＭ層とＲＥ層との２層コンビネーションディスクのＲＥ層なのかを区別することができる。
【０１１４】
なお、層番号取得部（アクセス層特定手段）２２２は、以下で説明する層種類判別部２２３の代わりに、層番号を参照して、アクセスした情報記録層を特定しても良い。
【０１１５】
以上の構成によれば、光ディスク１００における複数の情報記録層の中から、アクセスした情報記録層を特定することができる。
【０１１６】
よって、光ディスク１００の各情報記録層に異なる層番号を付与することで、簡単に各情報記録媒体を識別することができる。
【０１１７】
なお、「層番号」は、アクセスした情報記録層と他の情報記録層とを識別できれば、どのような情報であっても良い。
【０１１８】
「層番号」の一例としては、光ディスク１００の基板側に最も近い情報記録層から最も遠い情報記録層までの各情報記録層に番号を付与したときのその番号の２進数表示などが例示できる。
【０１１９】
また、「層番号」の他の例としては、光ディスク１００の光入射側に最も近い情報記録層から最も遠い情報記録層までの各情報記録層に番号を付与したときのその番号の２進数表示などが例示できる。
【０１２０】
なお、各情報記録層に付与される番号は、１ずつ増す又は減るように付しても良いし、ランダムに番号を付与しても良い。
【０１２１】
層種類判別部２２３は、層番号取得部２２２が取得した層番号を再生データ保持部２２５から読出し、格納部３に記録されている層番号−記録層対応テーブルを参照して、アクセスした情報記録層を特定するようになっている。
【０１２２】
以上の構成によれば、光ディスク１００における複数の情報記録層の中から、アクセスした情報記録層を特定することができる。
【０１２３】
また、層種類判別部２２３は、層種類情報取得部２２１が取得した、記録エリアＡ１〜Ａ８・・・毎に記録された層種類情報及び格納部３に記録されている記録層−記録エリア対応テーブルを参照して、光ディスク１００の各情報記録層の層種類情報から、アクセスした情報記録層の層の種類を判別するようになっている。
【０１２４】
「情報記録層の種類」としては、書き換え可能なＲＥ層、再生専用のＲＯＭ層、追記録可能なＲ層などの記録特性の種類や、ＤＶＤやＢＤなどの規格の種類などが例示できる。
【０１２５】
再生制御方式設定部２２４は、層種類判別部２２３によって判別されたアクセスした情報記録層の種類に従って、その情報記録層に記録された情報を再生するための再生条件を設定するものである。
【０１２６】
また、光ディスク装置１の再生制御部２２は、設定された再生条件に従ってアクセスした情報記録層に記録された情報を再生するようになっている。
【０１２７】
よって、光ディスク装置１の誤動作などにより、目的の情報記録層とは異なる情報記録層にアクセスした場合でも、その情報記録層の再生条件にマッチした再生条件を設定することができる。
【０１２８】
「再生条件」の例としては、再生制御時の各種設定条件（フォーカス制御、トラッキング制御、再生パワー等の設定条件等）が例示できる。
【０１２９】
記録制御部２３は、記録再生回路群制御部２４を介して記録再生回路群１０を駆動し、光ピックアップ１２のトラッキング制御や光ヘッド１１のフォーカス制御などを行って光ディスク１００に情報を記録する制御を行うものである。
【０１３０】
また、記録制御部２３は、層種類判別部２２３によって判別されたアクセスした情報記録層の種類に従って、その情報記録層に情報を記録するための記録条件を設定するようになっている。
【０１３１】
なお、ここでは、記録制御部２３が、記録条件を設定する機能を有しているものとして説明したが、上述した再生制御部２２のように、記録制御部２３を層種類情報取得部２２１、層種類情報取得部２２１、層種類判別部２２３及び再生データ保持部２２５を備えた構成とし、再生制御方式設定部２２４を、記録制御方式設定部（不図示）に置換した構成を採用しても良い。
【０１３２】
また、再生制御部２２の層種類情報取得部２２１、層種類情報取得部２２１、層種類判別部２２３及び再生データ保持部２２５と共用して、記録制御部２３が記録制御方式設定部（不図示）のみを備えた構成としても良い。
【０１３３】
また、記録制御部２３は、設定された記録条件に従ってアクセスした情報記録層に情報を記録するようになっている。
【０１３４】
よって、光ディスク装置１の誤動作などにより、目的の情報記録層とは異なる情報記録層にアクセスした場合でも、その情報記録層の記録条件にマッチした記録条件を設定することができる。
【０１３５】
「記録条件」の例としては、記録制御時の各種設定条件（フォーカス制御、トラッキング制御、記録パワー等の設定条件等）が例示できる。
【０１３６】
以上より、光ディスク装置１の誤動作等によりアクセスする情報記録層とは別の情報記録層にアクセスしてしまったような場合でも、光ディスク装置１は、そのアクセスした情報記録層の種類を判別することができる。
【０１３７】
よって、判別された情報記録層の種類に応じて記録・再生制御方式等の設定を適切に行うことにより、記録・再生制御方式等の設定とアクセスした情報記録層の方式等とをミスマッチしないようにすることができる。
【０１３８】
〔２．情報記録媒体の構成〕
次に、図３に基づき、本発明の一実施形態である光ディスク（情報記録媒体）１００の構成について説明する。
【０１３９】
図３は、本発明の一実施形態である光ディスク１００の構造を示す模式図であり、図３の（ａ）部分は、光ディスク１００の再生光入射側から見たときの様子を示す模式図であり、図３の（ｂ）部分は、情報記録媒体における断面の一部の様子を示す模式図である。
【０１４０】
図３の（ａ）部分及びに図３の（ｂ）部分示すように、光ディスク１００は、大きく分けて管理情報領域（管理情報記録領域）１０１及びユーザ記録領域１０２の２つの領域に分けることができる。
【０１４１】
管理情報領域１０１は、トラッキング制御が不要な領域又はフォーカス制御のみでアクセス可能な記録領域である。
【０１４２】
なお、このように簡単にアクセス可能な管理情報領域１０１に層種類情報を記録すれば、光ディスク１００の層種類情報を管理情報領域１０１から簡単かつ、一括して取得することができる。
【０１４３】
また、ユーザ記録領域１０２は、複数のトラック（不図示）から構成され、このトラックは複数のセクタから構成されている。
【０１４４】
図３の（ａ）部分に示すセクタ１０６は、この複数のセクタの１つを取り出したものである。但し、その大きさは誇張して記載している。
【０１４５】
セクタ１０６には、アドレス情報記録領域１０７が付随しており、アドレス情報記録領域１０７は、層番号記録領域Ｂ１及びセクタ番号記録領域Ｂ２からなる。
【０１４６】
本実施形態の層番号記録領域Ｂ１には、層番号が記録されており、層番号は、その層が、基板側（再生光入射側の反対側、基板は不図示）から何番目にあたるかを示すものである。
【０１４７】
例えば、光ディスク１００が、基板側から情報記録層Ｌ０〜Ｌ７の８層の情報記録層から構成されている場合、層番号記録領域Ｂ１に記録される情報を「１」又は「０」を用いた２進数表示で表すと、情報記録層Ｌ０が「０００」、情報記録層Ｌ１が「００１」・・・などとなる。
【０１４８】
ここで、「アドレス情報記録領域１０７が付随しており」としているのは、セクタ１０６に直接ピットでアドレス情報を記録する場合の他に、セクタ１０６を含むトラックをウォブリング（蛇行）させてアドレス情報が記録される場合などを含める趣旨である。
【０１４９】
なお、ＲＯＭ層は直接ピットでアドレス情報が記録し、ＲＥ層とＲ層とはトラックをウォブリングさせてアドレス情報を記録すれば良い。
【０１５０】
すなわち、図３の（ａ）部分のアドレス情報記録領域１０７の記録容量を概念的に示すものであり、アドレス情報記録領域１０７のうち一部の記録容量が、層番号記録領域Ｂ１に割り当てられ、残りの記録容量が、セクタ番号記録領域Ｂ２に割り当てられることを示しているに過ぎない。
【０１５１】
次に、図３の（ｂ）部分示すように、光ディスク１００は、再生光入射側の反対側（不図示の基板側）から順に、情報記録層Ｌ０〜Ｌ７・・・が設けられた多層記録媒体である。
【０１５２】
なお、図３の（ｂ）部分では、光ディスク１００の情報記録層Ｌ１に光ヘッド１１からの再生光Ｒの光スポットが光スポット位置Ｓに照射されている様子を示している。
【０１５３】
ここで、情報記録層Ｌ０は、ＲＥ層であり、内周側の管理情報領域１０１には、ＢＣＡ（Burst Cutting Area）１０３及びＰＩＣ（Permanent Information & Control data）１０４からなる。
【０１５４】
ＢＣＡ１０３には、主として、光情報記録媒体の構造を示す識別情報が記録される。
【０１５５】
また、識別情報の具体例としては、ディスクの層のタイプ（再生専用型、追記型、書き換え型）、ディスクのサイズ、ディスクのバージョン（速度等に関連）、ディスクへの記録・再生の標準条件、サーボの極性、記録マークの極性及びディスク固有の番号などが例示できるが、これらの各識別情報のＢＣＡ１０３における記録順序（又は配置方法）は、任意であってよい。なお、これらの記録順序は、通常規格などによって決められている。
【０１５６】
なお、本実施形態では、ＢＣＡ１０３に含まれる層種類情報記録領域１０５の記録エリアＡ１〜Ａ８のそれぞれに層種類情報が記録されている。なお、ＢＣＡ１０３における層種類情報記録領域１０５の配置は任意である。
【０１５７】
〔３．情報記録媒体に記録される情報〕
次に、図４（ａ）〜（ｄ）に基づき、光ディスク１００に記録されている各情報の具体例について説明する。
【０１５８】
なお、ここでは、光ディスク１００の情報記録層は、情報記録層Ｌ０〜Ｌ７の８層である場合について説明する。また、以下では、アドレス情報記録領域１０７の総ビット数は、３２ビットであり、このうち、８ビットが層番号記録領域Ｂ１に、２４ビットがセクタ番号記録領域Ｂ２に割り当てられるものとして説明する。
【０１５９】
まず、図４（ａ）は、記録エリアＡ１〜Ａ８・・・に記録されている層種類情報の一例である。
【０１６０】
なお、層種類情報は、本実施形態では、「０１」がＲＯＭ層、「１０」がＲＥ層、「１１」がＲ層を示すものとして説明するが、２ビットの２進数と層の種類とは任意に対応付けることができる。なお、「００」は、層なし、すなわち、情報記録層が存在しないことを示すものとする。
【０１６１】
さて、図４（ａ）の記録エリアＡ１には、「１０」となっているが、これは、記録エリアＡ１に対応する情報記録層の層の種類が、ＲＥ層であることを示している。
【０１６２】
また、記録エリアＡ２〜Ａ４は、「０１」となっているが、これは、記録エリアＡ２〜Ａ４に対応する情報記録層の層の種類が、ＲＯＭ層であることを示している。
【０１６３】
記録エリアＡ５〜Ａ８は、「００」となっているが、これは、記録エリアＡ５〜Ａ８に対応する情報記録層は存在しておらず、この光ディスク１００の情報記録層の層数が４であることを示している。
【０１６４】
次に、図４（ｂ）は、格納部３の記録層−記録エリア対応テーブル記録部３１に記録される記録層−記録エリア対応テーブルの一例である。
【０１６５】
「記録層−例１」では、記録エリアＡ１〜Ａ８のそれぞれが、同順で情報記録層Ｌ０〜Ｌ７に対応していることを示している。
【０１６６】
「記録層−例２」では、記録エリアＡ１〜Ａ８のそれぞれが、逆順で情報記録層Ｌ７〜Ｌ０に対応していることを示している。
【０１６７】
「記録層−例２」では、記録エリアＡ１〜Ａ８のぞれぞれと情報記録層Ｌ７〜Ｌ０のそれぞれとの対応関係がランダムである場合を示している。
【０１６８】
次に、図４（ｃ）は、セクタ１０６のアドレス情報記録領域１０７の層番号記録領域Ｂ１に記録される層番号、セクタ番号記録領域Ｂ２に記録されるセクタ番号の４つの例（例１〜４）である。
【０１６９】
図４（ｄ）は、層番号−記録層対応テーブル記録部３２に記録される層番号−記録層対応テーブルの一例である。
【０１７０】
ここで、図４（ｄ）に示すように、情報記録層Ｌ０〜Ｌ７のそれぞれに対応付けられた層番号は、「０００」〜「１１１」であるものとする。
【０１７１】
なお、図４（ｄ）に示す例では、情報記録層Ｌ０〜Ｌ７と層番号との対応関係は、２進数が大きくなる順序で規則的に対応付けているが、層の数が同じであれば、２進数が小さくなる順序で規則的に対応付けても良いし、ランダムに対応付けても良い。
【０１７２】
図４（ｃ）の例１では、アクセスした情報記録層の層番号記録領域Ｂ１に記録されている層番号が「０００」なので、層番号取得部２２２は、アクセスした情報記録層は情報記録層Ｌ０であると特定される。
【０１７３】
例２では、層番号記録領域Ｂ１に記録されている層番号が「００１」なので、層番号取得部２２２は、アクセスした情報記録層は情報記録層Ｌ１であると特定される。
【０１７４】
例３では、層番号記録領域Ｂ１に記録されている層番号が「０１０」なので、層番号取得部２２２は、アクセスした情報記録層は情報記録層Ｌ２であると特定される。
【０１７５】
例４では、層番号記録領域Ｂ１に記録されている層番号が「０１１」なので、層番号取得部２２２は、アクセスした情報記録層は情報記録層Ｌ３であると特定される。
【０１７６】
以上のように、光ディスク１００は、２種類以上の情報記録層を複数備えた情報記録媒体であって、アドレス情報記録領域１０７に記録されているアドレス情報に、その情報記録層と他の情報記録層とを識別するための層番号が含まれており、管理情報領域１０１に、情報記録層の種類を示す層種類情報が記録されている。
【０１７７】
これにより、アクセスした情報記録層のアドレス情報記録領域１０７に記録されたアドレス情報から層番号を取得すること、及び管理情報領域１０１から層種類情報を取得することが可能な光ディスク１００を提供することができる。
【０１７８】
〔４．情報記録再生装置の動作〕
次に、図１及び５〜６に基づき、光ディスク装置１の動作について説明する。
【０１７９】
なお、図５〜６は、それぞれ、層種類情報取得ステップ、層番号取得ステップ、及び記録・再生条件設定ステップの動作の流れを示すフローチャートである。
【０１８０】
なお、本実施形態では、１つの情報記録層の種類を特定するまでのステップは、層種類情報取得ステップ、層番号取得ステップ、及び記録・再生条件設定ステップの順で流れる場合について説明するが、層種類情報取得ステップと層番号取得ステップとの順序は、任意である。
【０１８１】
（４−１．層種類情報取得ステップ）
まず、図５の層種類情報取得ステップについて説明する。
【０１８２】
図５に示すように、層種類情報取得ステップのステップＳ１（以下、「ステップ」を省略する）では、図１に示すディスク装填認識部６が光ディスク１００の装填を認識してその旨をディスク管理部２１通知してＳ２に進む。
【０１８３】
Ｓ２では、まず、ディスク管理部２１が再生制御部２２に光ディスク１００の装填されたことを通知（装填通知）すると共に、光ディスク１００のＢＣＡ１０３に記録されている識別情報を取得して格納部３に保持させる旨の命令（識別情報保持命令）を再生制御部２２に発する。
【０１８４】
次に、再生制御部２２は、ディスク管理部２１から装填通知及び識別情報保持命令を受けると、記録再生回路群制御部２４を介して記録再生回路群１０を駆動し、光ディスク１００のＢＣＡ１０３（層種類情報記録領域１０５が含まれる）近傍に光ピックアップ１２を移動させてＳ３に進む。
【０１８５】
Ｓ３では、再生制御部２２は、記録再生回路群制御部２４を介して記録再生回路群１０を駆動し、光ディスク１００のＢＣＡ１０３（層種類情報記録領域１０５が含まれる）が存在する情報記録層Ｌ０にフォーカス制御を行ってＢＣＡ１０３に記録されている情報の再生可能になった段階でＳ４に進む。なお、このとき、トラッキング制御は不要である。
【０１８６】
Ｓ４では、再生制御部２２は、ＢＣＡ１０３に記録されている光ディスク１００の識別情報を取得して格納部３に保持させる。
【０１８７】
また、ＢＣＡ１０３に照射された再生光Ｒの光スポット位置Ｓが層種類情報記録領域１０５に達すると、層種類情報が再生されるので、層種類情報取得部２２１は、この層種類情報を再生データ保持部２２５又は格納部３に記録させて結合子「Ａ」に進む。
【０１８８】
なお、以上の説明では、層種類情報取得部２２１が、ＢＣＡ１０３に記録された層種類情報を直接、光ディスク１００から読み取る場合について説明した。
【０１８９】
しかしながら、その他、光ディスク１００の識別情報と、ＢＣＡ１０３に記録された層種類情報とを対応付けて格納部３に記録させておき、層種類情報取得部２２１が、この格納部３に記録された識別情報と一致する光ディスク１００の場合には、格納部３からその光ディスク１００に対応する層種類情報を読み取っても良い。
【０１９０】
また、光ディスク１００の規格などにより、層種類情報の記録方法が決まっている場合には、格納部３に光ディスク１００に対応する層種類情報を予め記録しておき、層種類情報取得部２２１が、格納部３からその光ディスク１００に対応する層種類情報を読み取っても良い。
【０１９１】
以上によれば、層番号のみを取得してもアクセスした情報記録層の種類が判別できないが、ＢＣＡ１０３にある層種類情報、ＢＣＡ１０３から読み取った層種類情報、又は予め格納部３に記録させた層種類情報のいずれかを参照することで、アクセスした情報記録層の種類（Ｒ層、ＲＥ層及びＲＯＭ層のいずれかなど）を判別することができる。
【０１９２】
（４−２．層番号取得ステップ）
次に、図６の層番号取得ステップについて説明する。
【０１９３】
図６に示すように、層番号取得ステップでは、結合子「Ａ」からＳ５に進む。
【０１９４】
Ｓ５では、図１に示すユーザが操作部７を介して目的の層に対して情報の記録又は再生を指示（記録再生指示）する。再生制御部２２は、この記録再生指示を受けて目的の層（ここでは、Ｌ１層であるとする）に記録再生回路群制御部２４にフォーカス制御及びトラッキング制御を行わせて光ディスク１００のアドレス情報記録領域１０７を再生する。
【０１９５】
このとき、層番号取得部２２２は、光ディスク１００のアドレス情報記録領域１０７に記録されているアドレス情報から読み出された層番号「００１」を再生データ保持部２２５又は格納部３に一時記録させてＳ６に進む。
【０１９６】
Ｓ６では、層種類判別部２２３が、再生データ保持部２２５又は格納部３に記録されている層番号「００１」を読出し、格納部３の層番号−記録層対応テーブル記録部３２に記録された層番号−記録層対応テーブル（図４（ｄ）参照）を参照してアクセスした層がＬ１層であると特定する。
【０１９７】
また、層種類判別部２２３は、格納部３の記録層−記録エリア対応テーブル記録部３１に記録されている記録層−記録エリア対応テーブル（図４（ｂ）の記録層−例１の場合であるとする）を参照して、Ｌ１層に対応する層種類情報が記録されている記録エリアは、「Ａ２」であると特定する。
【０１９８】
次に、層種類判別部２２３は、再生データ保持部２２５又は格納部３に保持した層種類情報（図４（ａ）参照）を参照して記録エリア「Ａ２」に対応する層種類情報が「０１」、すなわち、アクセスした情報記録層Ｌ１がＲＯＭ層であると判別しその判別結果（層種類判別結果を格納部３の層種類判別結果記録部３３に記録して結合子「Ｂ」に進む。
【０１９９】
（４−３．記録・再生条件設定ステップ）
次に、図７の記録・再生条件設定ステップについて説明する。
【０２００】
図７に示すように、記録・再生条件設定ステップでは、結合子「Ｂ」からＳ７に進む。
【０２０１】
Ｓ７では、再生制御方式設定部２２４（再生の場合）又は記録制御部２３（記録の場合）が、層種類判別結果が層種類判別結果記録部３３に記録されたことをトリガとして、格納部３の記録・再生制御方式設定情報記録部３４に記録された再生条件又は記録条件を参照して、再生制御部２２又は記録制御部２３に記録再生回路群１０の情報記録層Ｌ１層（ＲＯＭ層）に対応する記録・再生制御方式を設定してＳ８に進む。
【０２０２】
Ｓ８では、再生制御部２２又は記録制御部２３が、設定された記録・再生制御方式で情報記録層Ｌ１の再生又は記録を行いＳ９に進む。
【０２０３】
Ｓ９では、操作部７を介してユーザが情報記録層Ｌ１以外の別の情報記録層に対して情報の記録・再生を指示した場合には、「ＹＥＳ」となり結合子「Ｃ」に進む。
【０２０４】
一方、操作部７を介してユーザが情報記録層Ｌ１以外の別の情報記録層に対して情報の記録・再生を指示していない場合には、「ＮＯ」となり「ＥＮＤ」となる。
【０２０５】
なお、結合子「Ｃ」に進むと、図６に示すように、Ｓ５に戻る。
【０２０６】
〔５．アドレス情報記録領域の様々な利用形態〕
次に、図８（ａ）及び（ｂ）、並びに、図９（ａ）及び（ｂ）に基づき、アドレス情報記録領域の様々な利用形態について説明する。
【０２０７】
まず、図８（ａ）は、上述したアドレス情報記録領域の利用形態の他の一例を示す図である。
【０２０８】
図８（ａ）に示す例では、アドレス情報記録領域１０７を層種類記録領域Ｃ１、層番号記録領域Ｃ２及びセクタ番号記録領域Ｃ３の３つの記録領域を備えた構成としている。
【０２０９】
すなわち、層種類情報が、光ディスク１００のアドレス情報に含まれる構成としたものである。
【０２１０】
これにより、情報記録媒体上の位置を特定するためのアドレス情報に層種類情報を含ませることによって、情報記録媒体上のアクセス可能な、媒体面方向のどの半径位置でも層種類情報を取得することができる。
【０２１１】
また、このようなアドレス情報記録領域１０７の利用形態によれば、前記構成によれば、アクセスした情報記録層から、直接、層種類情報を得ることができるので、上述した管理情報領域１０１の再生を行うことなくいきなりアクセスした場合でも、情報記録層の層の種類を判別することができる。
【０２１２】
例えば、図８（ａ）に示す例では、アドレス情報記録領域１０７の層番号記録領域Ｃ２に記録されている「０００」からアクセスした情報記録層が情報記録層Ｌ０であることが特定され、層番号記録領域Ｃ２に記録されている「０１」から情報記録層Ｌ０がＲＥ層であることを判別できる。
【０２１３】
次に、図８（ｂ）は、上述したアドレス情報記録領域の利用形態のさらに他の一例を示す図である。
【０２１４】
図８（ｂ）に示す例では、層番号記録領域Ｄ１に記録されている「０１」のように、層番号記録領域Ｂ１に記録されている「００１」よりもビット数を少なくしている。
【０２１５】
これは、アドレス情報記録領域１０７の総ビット数は、固定数（例えば、ＤＶＤでは、総ビット数３２、セクタ番号記録領域のビット数２４で、その他の記録領域のビット数は８である）であるから、セクタ番号以外の情報のビット数は限られていることを考慮したものである。
【０２１６】
例えば、光ディスク１００に超解像膜を設けてある情報記録層の記録密度を増大させた場合、セクタ番号記録領域Ｄ２に記録されるセクタ番号の総ビット数が増大する可能性がある。そこで、この場合は、セクタ番号記録領域Ｄ２の範囲を大きくして層番号記録領域Ｂ１の範囲を狭くすれば良い。
【０２１７】
また、アドレス情報記録領域の利用形態のさらに他の一例について説明する。
【０２１８】
以下では、層番号記録領域と層種類情報記録領域とを一部共用することができるアドレス情報記録領域１０７の利用形態について説明する。
【０２１９】
例えば、ＲＥ層とＲＯＭ層との２層コンビネーションディスクにおいて、層番号記録領域を３ビット使用する場合を考える。
【０２２０】
ＲＯＭ層の場合は、層番号として「０００」を使用し、ＲＥ層の場合は、層番号として「１００」を使用する。
【０２２１】
つまり、ＲＯＭ層の場合は、層番号３ビットのうち、最上位１ビットが「０」である番号を使用し、ＲＥ層の場合は、層番号３ビットのうち、最上位１ビットが「１」である番号を使用する。
【０２２２】
言い換えれば、層番号３ビットのうち、最上位１ビットを取得することにより、情報記録層の層の種類が分かるようになっている。
【０２２３】
上記のような層番号の割り当てを行うことにより、層番号記録領域の３ビットのうち、
最上位１ビットは層種類情報記録領域として利用することができる。つまり、層番号記録領域の中に層種類情報を含むような番号の割り当てを行うことにより、使用する領域を削減することができる。
【０２２４】
さらに、情報記録層の数が増えた場合、ＲＯＭ層の場合は、層番号として「０００」「００１」「０１０」「０１１」のいずれかを使用し、ＲＥ層の場合は、層番号として「１００」「１０１」「１１０」「１１１」のいずれかを使用する。
【０２２５】
つまり、層番号記録領域３ビットのうち、最上位１ビットを取得することにより、情報記録層の層の種類を判別することができるようになっている。
【０２２６】
上記のような層番号の割り当てを行うことにより、層番号記録領域３ビットのうち、最上位１ビットは層種類情報記録領域として利用することができる。
【０２２７】
つまり、さらに情報記録層の数が増えた場合でも、層種類情報記録領域の中に層種類情報を含むような番号の割り当てを行うことにより、使用する領域を削減することができる。
【０２２８】
上記では、層番号記録領域３ビットのうち、最上位１ビットを層種類情報記録領域として利用する形態について説明したが、層番号記録領域３ビットのうち、最下位１ビットを層種類情報記録領域として利用してもよい。また、層番号領域３ビットのうち、最上位２ビットを層種類情報記録領域として利用してもよい。
【０２２９】
次に、図９（ａ）及び（ｂ）に示す例では、情報記録層の種類に応じて、アドレス情報が記録されているアドレス情報記録領域１０７における層番号の記録位置が異なっている例について説明する。なお、ここでは、簡単のため、光ディスク１００として２層の場合について説明する。
【０２３０】
また、ここでは、ＲＥ層及びＲＯＭ層で構成される２層コンビネーションディスクの場合について説明する。
【０２３１】
ところで、ＲＥ層及びＲＯＭ層で構成される２層コンビネーションディスクの場合（ＲＯＭ−ＲＥディスクという）、ＲＯＭ−ＲＥディスクのＲＯＭ層の作成にＲＯＭディスクのＲＯＭ用スタンパ、並びに、ＲＯＭ−ＲＥディスクのＲＥ層の作成にＲＥディスクのＲＥ用スタンパを兼用できれば、ディスク作成のコストを低減することができる。
【０２３２】
また、通常、ＲＯＭ層用スタンパを作製する費用は、Ｒ，ＲＥ層用スタンパを作製する費用よりも高い。よって、ＲＯＭ−ＲＥディスクにおいては、少なくともＲＯＭ用スタンパは兼用できることが好ましい。
【０２３３】
しかしながら、単層ＲＯＭ層用スタンパと、単層ＲＥ層用スタンパの両方を兼用スタンパとした場合、ＲＯＭ層もＲＥ層も所定の記録位置（例えば、図９（ａ）は、従来の層番号記録位置を示す）に単層の「０」の層番号が記録されるのが通常である。
【０２３４】
そうすると、アドレス情報を再生するだけでは、どちらの情報記録層も層番号が「０」となってしまうので、アクセスした情報記録層の特定が困難となってしまうという問題点がある。
【０２３５】
よって、ＲＯＭ層用スタンパと、ＲＥ層用スタンパの両方を兼用スタンパとすることはできず、通常は、価格の高いＲＯＭ層用スタンパを兼用し、ＲＥ層用スタンパは兼用しないと考えられる。
【０２３６】
一方、例えば、情報記録層Ｌ０のＲＥ層の層番号を「０」と違う番号の「１」にしてしまう方法では、次のような問題点が生じる。
【０２３７】
すなわち、ＲＥ層のみの２層ディスク（ＲＥ−ＲＥディスクという）では、両方のＲＥ層を「１」とすると、情報記録層Ｌ０及びＬ１を区別することができなくなる。
【０２３８】
そうすると、情報記録再生装置がＢＣＡを再生せずに再生等を行う装置であった場合、情報記録再生装置は通常、情報記録層Ｌ０より再生情報等を得ようとするため、ＲＥ−ＲＥディスクの情報記録層Ｌ０にアクセスしていても、ＲＯＭ−ＲＥディスクの情報記録層Ｌ１にアクセスしていると認識してしまい、実際には存在していない情報記録層Ｌ０にジャンプしようとする可能性がある。
【０２３９】
しかしながら、実際には、ＲＥ−ＲＥディスクの情報記録層Ｌ０にアクセスしているので、いつまでもレイヤージャンプを繰り返してしまう可能性がある。
【０２４０】
以上より、ＲＯＭ−ＲＥディスクのＲＥ層の層番号は、少なくとも通常と違う位置になければならない。つまり、ＲＯＭ層のアドレス情報における層番号位置とは異なる必要がある。
【０２４１】
以上のような観点から、図９（ｂ）に示すように、光ディスク１００では、情報記録層の種類に応じて、アドレス情報記録領域１０７における層番号の記録位置が異なるようにしても良い（なお、図９（ｂ）に示す記録位置は旧規格の予約領域である）。
【０２４２】
また、このとき、光ディスク装置１の層番号取得部２２２は、アクセスした情報記録層の種類に応じた層番号の記録位置からその層番号を取得するように構成する。
【０２４３】
また、光ディスク装置１の層番号取得部２２２は、層種類情報取得部２２１が取得した層種類情報又はあらかじめ格納部３に記録されている場合はその層種類情報を参照して、層番号の記録位置から層番号を取得することが好ましい。
【０２４４】
これにより、情報記録層の種類に応じて、アドレス情報記録領域１０７における層番号の記録位置が異なっているため、例えば、規格の異なる情報記録媒体のそれぞれに含まれる同一の層番号を有する情報記録層同士を識別することができる。
【０２４５】
すなわち、例えば、ＲＥ層を２層有する２層コンビネーションディスクのＲＥ層なのか、ＲＯＭ層とＲＥ層との２層コンビネーションディスクのＲＥ層なのかを区別することができる。
【０２４６】
なお、本発明の情報記録再生装置は、異なる種類の層を複数有する多層光記録媒体に対して再生を行う情報記録再生装置において、前記多層光記録媒体に対してレーザ光を照射し、前記光記録媒体からの反射光を読み取る再生手段と、各層に含まれる層番号を取得する層番号取得手段と、少なくとも１つの層の管理情報領域に含まれる前記層番号に対応する層種類情報を取得する層種類情報取得手段と、前記層番号取得手段及び前記層種類情報取得手段から得られた情報に基づいて各層の種類を判別する層種類判別手段とを備えていても良い。
【０２４７】
また、本発明の情報記録再生装置は、前記層番号領域は、アドレス情報に含まれていても良い。
【０２４８】
また、本発明の情報記録再生装置は、前記管理情報領域は、トラッキング制御をすることなく再生可能な領域を含んでも良い。
【０２４９】
また、本発明の情報記録再生装置は、異なる種類の層を複数有する多層光記録媒体に対して、前記多層光記録媒体に対してレーザ光を照射し、前記光記録媒体からの反射光を読み取る再生ステップと、各層に含まれる層番号を取得する層番号取得ステップと、少なくとも１つの層の管理情報領域に含まれる前記層番号に対応する層種類情報を取得する層種類情報取得ステップと、前記層番号取得ステップ及び前記層種類情報取得ステップから得られた情報に基づいて各層の種類を判別する層種類判別ステップと含んでいても良い。
【０２５０】
また、本発明の情報記録再生装置は、前記層番号取得手段は、前記層種類情報取得手段から得られた層種類情報に基づいて層種類に対応したアドレス情報内の層番号を取得しても良い。
【０２５１】
また、本発明の情報記録媒体は、層番号を有する各層のアドレス情報及び層種類情報を有する管理情報領域を含んでいても良い。
【０２５２】
また、本発明の情報記録媒体は、情報を読み出すことのみ可能な情報再生層（ＲＯＭ）と、情報を記録することが可能な領域を含む情報記録再生層（Ｒ、ＲＥ）と、を少なくとも有し、前記情報記録層に記録されている前記アドレス情報に含まれる各層内の面内位置を特定する番地の記録位置と、前記層番号の記録位置との位置関係が、前記情報再生層に記録されている前記アドレス情報に含まれる各層内の面内位置を特定する番地と前記層番号との位置関係と異なっていても良い。
【０２５３】
また、本発明の情報記録媒体は、２種類以上の情報記録層を複数備えた情報記録媒体であって、前記情報記録層に、その情報記録層と他の情報記録層とを識別するための層番号情報が含まれており、少なくとも１つの情報記録層の管理情報領域に、前記情報記録層の種類を示す層種類情報が記録されていても良い。
【０２５４】
また、本発明の情報記録媒体は、前記層番号情報は、前記情報記録層のアドレス情報に含まれていても良い。
【０２５５】
また、本発明の情報記録媒体は、前記層種類情報は、前記情報記録層のアドレス情報に含まれていても良い。
【０２５６】
最後に、光ディスク装置１の各ブロック、特に制御部２０は、ハードウェアロジックによって構成してもよいし、次のようにＣＰＵを用いてソフトウェアによって実現してもよい。
【０２５７】
すなわち、光ディスク装置１は、各機能を実現する制御プログラムの命令を実行するＣＰＵ（central processing unit）、前記プログラムを格納したＲＯＭ（read only memory）、前記プログラムを展開するＲＡＭ（random access memory）、前記プログラムおよび各種データを格納するメモリ等の記憶装置（記録媒体）などを備えている。そして、本発明の目的は、上述した機能を実現するソフトウェアである光ディスク装置１の制御プログラムのプログラムコード（実行形式プログラム、中間コードプログラム、ソースプログラム）をコンピュータで読み取り可能に記録した記録媒体を、前記光ディスク装置１に供給し、そのコンピュータ（又はＣＰＵやＭＰＵ）が記録媒体に記録されているプログラムコードを読み出し実行することによっても、達成可能である。
【０２５８】
前記記録媒体としては、例えば、磁気テープやカセットテープ等のテープ系、フロッピー（登録商標）ディスク／ハードディスク等の磁気ディスクやコンパクトディスク−ＲＯＭ／ＭＯ／ＭＤ／デジタルビデオデイスク／コンパクトディスク−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２５９】
また、光ディスク装置１を通信ネットワークと接続可能に構成し、前記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、前記プログラムコードが電子的な伝送で具現化された、搬送波に埋め込まれたコンピュータデータ信号の形態でも実現され得る。
【０２６０】
なお、本発明は、上述した各実施形態に限定されるものではなく、請求項に示した範囲で種々の変更が可能であり、異なる実施形態にそれぞれ開示された技術的手段を適宜組合せて得られる実施形態についても本発明の技術的範囲に含まれる。
【産業上の利用可能性】
【０２６１】
本発明は、ＲＯＭ層、ＲＥ層及びＲ層が混在した多層構造の光情報記録媒体や該光情報記録媒体に情報を記録・再生するための光情報記録再生装置などに広く適用することができる。
【符号の説明】
【０２６２】
１    光ディスク装置（情報記録再生装置）
３    格納部
６    ディスク装填認識部
７    操作部
１０    記録再生回路群
１１    光ヘッド
１２    光ピックアップ
１３    ピックアップ駆動回路
１４    レーザ駆動回路
１５    再生回路
２０    制御部
２１    ディスク管理部
２２    再生制御部
２３    記録制御部（記録条件設定手段）
２４    記録再生回路群制御部
３１    記録層−記録エリア対応テーブル記録部
３２    層番号−記録層対応テーブル記録部
３３    層種類判別結果記録部
３４    記録・再生制御方式設定情報記録部（記録条件・再生条件）
１００    光ディスク（情報記録媒体）
１０１    管理情報領域
１０２    ユーザ記録領域
１０３    ＢＣＡ
１０４    ＰＩＣ
１０５    層種類情報記録領域
１０６    セクタ
１０７    アドレス情報記録領域
２２１    層種類情報取得部（層種類情報取得手段）
２２２    層番号取得部（層番号取得手段，アクセス層特定手段）
２２３    層種類判別部（アクセス層種類判別手段）
２２４    記録・再生制御方式設定部（再生条件設定手段）
２２５    再生データ保持部
Ａ１〜Ａ８  記録エリア
Ｂ１    層番号（層番号情報）記録領域
Ｂ２    セクタ番号記録領域
Ｃ１    層種類（層番号情報）記録領域
Ｃ２    層番号（層番号情報）記録領域
Ｃ３    セクタ番号記録領域
Ｄ１    層番号（層番号情報）記録領域
Ｄ２    セクタ番号記録領域
Ｌ０〜Ｌ７  情報記録層
Ｒ    再生光
Ｓ    光スポット位置
【図１】
2010205312.tif 000003
【図２】
2010205312.tif 000004
【図３】
2010205312.tif 000005
【図４】
2010205312.tif 000006
【図５】
2010205312.tif 000007
【図６】
2010205312.tif 000008
【図７】
2010205312.tif 000009
【図８】
2010205312.tif 000010
【図９】
2010205312.tif 000011
【手続補正書】
【提出日】平成22年6月14日(2010.6.14)
【手続補正１】
【補正対象書類名】特許請求の範囲
【補正対象項目名】全文
【補正方法】変更
【補正の内容】
【特許請求の範囲】
【請求項１】
２種類以上の情報記録層を複数備えた情報記録媒体であって、
前記情報記録層に、その情報記録層と他の情報記録層とを識別するための層番号情報が含まれており、
少なくとも１つの情報記録層の管理情報領域に、前記情報記録層の種類を示す層種類情報が記録されており、
前記層番号情報は、前記情報記録層のアドレス情報に含まれており、
前記情報記録層の種類に応じて、前記アドレス情報が記録されているアドレス情報記録領域における前記層番号情報の記録位置が異なっていることを特徴とする情報記録媒体。